(57)【要約】      （修正有）【課題】折り畳んで収納することができるデスクを提供する。【解決手段】本考案の折り畳み式デスクは、底部１０と、昇降機構２０と、調節機構３０と、デスク板４０を有し、該昇降機構２０が底部１０に取り付けられ、該調節機構３０は、昇降機構２０に枢設され、設置板３２及びスライド部材３４を備え、該設置板３２は、昇降機構２０の上端に取り付けられ、該スライド部材３４は、設置板３２に移動可能に取り付けられ、該スライド部材３４に連結部材３８が枢設され、該デスク板４０は、連結部材３８の上端に枢設されると共に、一端縁部が該設置板３２に枢設され、それによれば、昇降機構２０によって設置板３２及びデスク板４０の高さを自由に調節すると共に、調節機構３０によってデスク板４０の傾斜角度を自由に調節することができることから、使用者が好みの体勢や高さでモバイル端末などを使用することができる。【選択図】図８
0003204303.tif 000002
【実用新案登録請求の範囲】
【請求項１】
底部と、
前記底部に取り付けられている昇降機構と、
該昇降機構の上端に取り付けられる掛合部材であり、一側に複数のフック凹部が形成されると共に、他側が平坦な直線状を呈する該掛合部材を備える設置板であり、前記昇降機構に枢設されているものである該設置板と、
移動可能に該設置板に取り付けられるように、底面に枢転し且つ揺動可能な調節部材が取り付けられていると共に、該調節部材に掛合部材の１つのフック凹部と掛合するための掛合柱が凸設されているスライド部材と、
該スライド部材の底部に設置されると共に、それぞれ該調節部材の両側に連接される２つの弾性部材と、底端が該スライド部材に枢設される連結部材とを有する、調節機構と、
前記連結部材の上端に枢設されると共に、一端縁部が前記設置板に枢設されるように、該一端縁部に止め部が枢転可能に設置される、デスク板と、
を有することを特徴とする折り畳み式デスク。
【請求項２】
前記昇降機構はさらに、底部に取り付けられる駆動機構と、
回転可能に底部に取り付けられると共に、該駆動機構と連動して回転する螺軸と、
移動可能に底部に取り付けられると共に、該螺軸と螺合するネジ穴が形成される移動台と、
複数対の枢設ロッドを備え、該各対の枢設ロッドが第一枢設ロッド及び第二枢設ロッドを含み、該第二枢設ロッドが第一枢設ロッドに枢設され、該第一枢設ロッドが底部に枢設され、該第二枢設ロッドが移動台に枢設される、昇降ユニットと、
を有し、
前記設置板が昇降ユニットの上端に枢設されており、
前記昇降ユニットの各対の枢設ロッドの第一枢設ロッドが移動可能に設置板に連結されていることを特徴とする請求項１に記載の折り畳み式デスク。
【請求項３】
前記底部の上面に収容凹部が凹設されており、
前記移動台が移動可能に前記収容凹部に取り付けられており、
前記螺軸が前記収容凹部に貫設されていることを特徴とする請求項２に記載の折り畳み式デスク。
【請求項４】
前記収容凹部の両側にそれぞれレールが互いに平行に形成されており、
前記螺軸が両側のレールと平行に設置されており、
前記移動台が移動可能に両側のレールに取り付けられていることを特徴とする請求項３に記載の折り畳み式デスク。
【請求項５】
前記移動台に複数の耳部が延設されており、
前記昇降ユニットの第二枢設ロッドが移動台の耳部に枢設されていることを特徴とする請求項４に記載の折り畳み式デスク。
【請求項６】
前記底部の上面に、前記収容凹部をカバーする蓋が取り付けられていることを特徴とする請求項５に記載の折り畳み式デスク。
【請求項７】
前記設置板の上面に摺動凹部が凹設されており、
該摺動凹部の底面に掛合溝が形成されており、
該掛合溝の底面に前記掛合部材が設置されており、
該掛合部材の両側と該掛合溝の両側内壁との間にそれぞれ摺動通路が形成されていることを特徴とする請求項６に記載の折り畳み式デスク。
【請求項８】
前記掛合部材の両端が弧状を呈していることを特徴とする請求項７に記載の折り畳み式デスク。
【請求項９】
前記昇降機構は、複数の昇降掛合部材と、複数の昇降スライド部材と、２つの昇降弾性部材と、昇降ユニットとを有し、
該昇降掛合部材は、それぞれが平行に底部に設置されているものであり、該各昇降掛合部材は一側に複数の昇降フック凹部が形成されており、他側が平坦な直線状を呈するものであり、
該昇降スライド部材は、それぞれに対応する昇降掛合部材に対して移動可能に底部に取り付けられているものであり、
該各昇降スライド部材の底面には、枢転し且つ揺動可能な昇降調節部材が取り付けられており、
該昇降調節部材には昇降掛合部材の１つの昇降フック凹部と掛合するための昇降掛合柱が凸設されており、
該２つの昇降弾性部材は、昇降スライド部材の底部に設置されると共に、それぞれ昇降調節部材の両側に連接されているものであり、
前記昇降ユニットは、複数対の枢設ロッドを備えており、該各対の枢設ロッドが第一枢設ロッド及び第二枢設ロッドを含み、該第二枢設ロッドが第一枢設ロッドに枢設されており、該第一枢設ロッドの底端が底部に枢設されており、該第二枢設ロッドが昇降スライド部材に枢設されており、
前記設置板が昇降ユニットの上端に枢設されており、
前記昇降ユニットの各対の枢設ロッドの第一枢設ロッドが移動可能に設置板に連結されているものであることを特徴とする請求項１に記載の折り畳み式デスク。
【請求項１０】
前記底部の上面に複数の収容凹部が凹設されており、
前記昇降スライド部材がそれぞれ移動可能に前記収容凹部に取り付けられており、
前記昇降掛合部材がそれぞれ収容凹部に設置されていることを特徴とする請求項９に記載の折り畳み式デスク。
【請求項１１】
前記収容凹部の底面に昇降掛合溝が凹設されており、
前記昇降掛合部材がそれぞれ前記収容凹部の前記昇降掛合溝に設置されており、
また、該昇降掛合部材の両側と該昇降掛合溝の両側内壁との間にそれぞれ摺動通路が形成されていることを特徴とする請求項１０に記載の折り畳み式デスク。
【請求項１２】
前記昇降掛合部材の両端が弧状を呈することを特徴とする請求項１１に記載の折り畳み式デスク。
【請求項１３】
前記収容凹部の両側にそれぞれレールが互いに平行に形成されており、
前記各昇降掛合部材が前記収容凹部の両側のレールと平行に設置されており、
前記各昇降スライド部材が移動可能に前記収容凹部のレールに取り付けられていることを特徴とする請求項１２に記載の折り畳み式デスク。
【請求項１４】
前記各昇降スライド部材に複数の昇降耳部が設けられており、
前記昇降ユニットの第二枢設ロッドが昇降スライド部材の昇降耳部に枢設されていることを特徴とする請求項１３に記載の折り畳み式デスク。
【請求項１５】
前記底部の上面に、前記収容凹部をカバーする蓋が取り付けられていることを特徴とする請求項１４に記載の折り畳み式デスク。
【請求項１６】
前記設置板の上面に摺動凹部が凹設されており、
該摺動凹部の底面に掛合溝が形成されており、
該掛合溝の底面に前記掛合部材が設置されており、
該掛合部材の両側と該掛合溝の両側内壁との間に、それぞれ摺動通路が形成されていることを特徴とする請求項１５に記載の折り畳み式デスク。
【考案の詳細な説明】
【技術分野】
【０００１】
本考案は、特に折り畳んで収納することができるデスクに関するものである。
【背景技術】
【０００２】
既存のデスクは、読書や文書の作成、事務などに用いられる家具であり、文房具を収納したり、パソコンなどのモバイル端末を置いたりして使用することもできるので、利便性が高い。
【先行技術文献】
【特許文献】
【０００３】
【特許文献１】（特になし）
【考案の概要】
【考案が解決しようとする課題】
【０００４】
しかしながら、既存のデスクは殆ど所定の高さに固定されていることから、デスクの高さを、使用者の身長に調節することができないので、背が高い人や低い人にとっては、使い難く、実用性に劣るという問題があった。また、既存のデスクは、モバイル端末を置いて使用する時、所定の傾斜角度が必要となるが、傾斜角度の調整手段を有しないことから、各使用者の需要に満たすことができないので、使用上不便であり、実用性に劣るという問題があった。
【課題を解決するための手段】
【０００５】
本考案に係る折り畳み式デスクは、
底部と、
前記底部に取り付けられる昇降機構と、
前記昇降機構に枢設され、また、該昇降機構の上端に取り付けられる、一側に複数のフック凹部が形成されると共に、他側が平坦な直線状を呈する掛合部材を備える設置板と、
移動可能に該設置板に取り付けられるように、底面に枢転し且つ揺動可能な調節部材が取り付けられると共に、該調節部材に掛合部材の１つのフック凹部と掛合するための掛合柱が凸設されるスライド部材と、
該スライド部材の底部に設置されると共に、それぞれ該調節部材の両側に連接される２つの弾性部材と、底端が該スライド部材に枢設される連結部材とを有する、調節機構と、
前記連結部材の上端に枢設されると共に、一端縁部が前記設置板に枢設されるように、該一端縁部に止め部が枢転可能に設置される、デスク板と、を有するものである。
【０００６】
かかる折り畳み式デスクにおいて、
前記昇降機構はさらに、底部に取り付けられる駆動機構と、
回転可能に底部に取り付けられると共に、該駆動機構と連動して回転する螺軸と、
移動可能に底部に取り付けられると共に、該螺軸と螺合するネジ穴が形成される移動台と、
複数対の枢設ロッドを備え、該各対の枢設ロッドが第一枢設ロッド及び第二枢設ロッドを含み、該第二枢設ロッドが第一枢設ロッドに枢設され、該第一枢設ロッドが底部に枢設され、該第二枢設ロッドが移動台に枢設される、昇降ユニットと、を有し、
前記設置板が昇降ユニットの上端に枢設され、前記昇降ユニットの各対の枢設ロッドの第一枢設ロッドが移動可能に設置板に連結されることが好ましい。
【０００７】
かかる折り畳み式デスクにおいて、
前記底部の上面に収容凹部が凹設され、
前記移動台が移動可能に収容凹部に取り付けられ、
前記螺軸が収容凹部に貫設されることが好ましい。
【０００８】
かかる折り畳み式デスクにおいて、
前記収容凹部の両側にそれぞれレールが互いに平行するように形成され、
前記螺軸が両側のレールと平行するように設置され、
前記移動台が移動可能に両側のレールに取り付けられることが好ましい。
【０００９】
かかる折り畳み式デスクにおいて、
前記移動台に複数の耳部が延設され、
前記昇降ユニットの第二枢設ロッドが移動台の耳部に枢設されることが好ましい。
【００１０】
かかる折り畳み式デスクにおいて、前記底部の上面に、収容凹部をカバーする蓋が取り付けられることが好ましい。
【００１１】
かかる折り畳み式デスクにおいて、
前記設置板の上面に摺動凹部が凹設され、
該摺動凹部の底面に掛合溝が形成され、
該掛合溝の底面に前記掛合部材が設置され、
該掛合部材の両側と該掛合溝の両側内壁との間にそれぞれ摺動通路が形成されることが好ましい。
【００１２】
かかる折り畳み式デスクにおいて、前記掛合部材の両端が弧状を呈することが好ましい。
【００１３】
かかる折り畳み式デスクにおいて、
前記昇降機構は、複数の昇降掛合部材と、複数の昇降スライド部材と、２つの昇降弾性部材と、昇降ユニットとを有し、
そのうち、それらの昇降掛合部材は、それぞれ平行するように底部に設置され、該各昇降掛合部材における、一側に複数の昇降フック凹部が形成され、他側が平坦な直線状を呈し、
それらの昇降スライド部材は、それぞれ対応する昇降掛合部材に対して移動可能に底部に取り付けられ、該各昇降スライド部材の底面に、枢転し且つ揺動可能な昇降調節部材が取り付けられ、該昇降調節部材に昇降掛合部材の１つの昇降フック凹部と掛合するための昇降掛合柱が凸設され、該２つの昇降弾性部材は、昇降スライド部材の底部に設置されると共に、それぞれ昇降調節部材の両側に連接され、
前記昇降ユニットは、複数対の枢設ロッドを備え、該各対の枢設ロッドが第一枢設ロッド及び第二枢設ロッドを含み、該第二枢設ロッドが第一枢設ロッドに枢設され、該第一枢設ロッドの底端が底部に枢設され、該第二枢設ロッドが昇降スライド部材に枢設され、
前記置板が昇降ユニットの上端に枢設され、
前記昇降ユニットの各対の枢設ロッドの第一枢設ロッドが移動可能に設置板に連結されることが好ましい。
【００１４】
かかる折り畳み式デスクにおいて、
前記底部の上面に複数の収容凹部が凹設され、
前記昇降スライド部材が移動可能に収容凹部に取り付けられ、
前記昇降掛合部材がそれぞれ収容凹部に設置されることが好ましい。
【００１５】
かかる折り畳み式デスクにおいて、
前記収容凹部の底面に昇降掛合溝が凹設され、
前記昇降掛合部材がそれぞれ収容凹部の昇降掛合溝に設置され、また、該昇降掛合部材の両側と該昇降掛合溝の両側内壁との間にそれぞれ摺動通路が形成されることが好ましい。
【００１６】
かかる折り畳み式デスクにおいて、前記昇降掛合部材の両端が弧状を呈することが好ましい。
【００１７】
かかる折り畳み式デスクにおいて、
前記収容凹部の両側にそれぞれレールが互いに平行するように形成され、
前記各昇降掛合部材が収容凹部の両側のレールと平行するように設置され、
前記各昇降スライド部材が移動可能に収容凹部のレールに取り付けられることが好ましい。
【００１８】
かかる折り畳み式デスクにおいて、
前記各昇降スライド部材に複数の昇降耳部が設けられ、
前記昇降ユニットの第二枢設ロッドが昇降スライド部材の昇降耳部に枢設されることが好ましい。
【００１９】
かかる折り畳み式デスクにおいて、前記底部の上面に、収容凹部をカバーする蓋が取り付けられることが好ましい。
【００２０】
かかる折り畳み式デスクにおいて、
前記設置板の上面に摺動凹部が凹設され、
該摺動凹部の底面に掛合溝が形成され、
該掛合溝の底面に前記掛合部材が設置され、
該掛合部材の両側と該掛合溝の両側内壁との間にそれぞれ摺動通路が形成されることが好ましい。
【考案の効果】
【００２１】
本考案に係る折り畳み式デスクは、上記の構造を有することから、使用者の需要に応じて、昇降機構により設置板及びデスク板の高さを自由に調節することができ、さらに、デスク板の調節機構に対する傾斜角度も自由に調節することができることから、使用者にとって非常に使いやすくなるので、利便性や実用性に優れている。
【図面の簡単な説明】
【００２２】
【図１】図１は、本考案に係る折り畳み式デスクの第一実施例の展開状態を示す斜視図である。
【図２】図２は、本考案に係る折り畳み式デスクの第一実施例を折り畳んだ状態を示す斜視図である。
【図３】図３は、図１の部分分解斜視図である。
【図４】図４は、図１のもう一つの部分分解斜視図である。
【図５】図５は、図１の部分平面断面図である。
【図６】図６は、図１のもう一つの部分平面断面図である。
【図７】図７は、図４のスライド部材及び調節部材の拡大分解斜視図である。
【図８】図８は、図１の展開操作を示す部分側面断面図である。
【図９】図９は、図４の調節機構の操作状態を示す部分拡大平面断面図である。
【図１０】図１０は、図４の調節機構の操作状態を示すもう一つの部分拡大平面断面図である。
【図１１】図１１は、本考案に係る折り畳み式デスクの第二実施例の展開状態を示す斜視図である。
【図１２】図１２は、図１１の部分分解斜視図である。
【図１３】図１３は、図１２のスライド部材及び調節部材の拡大分解斜視図である。
【図１４】図１４は、図１１の展開操作を示す側面断面図である。
【図１５】図１５は、図１１の調節操作を示す平面断面図である。
【考案を実施するための形態】
【００２３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２４】
図１、図３及び図４に示すように、本考案に係る折り畳み式デスクの第一実施例は、底部１０と、昇降機構２０と、調節機構３０と、デスク板４０とを有し、該底部１０は、矩形のプレートであり、上面に収容凹部１２が凹設され、該収容凹部１２の両側にそれぞれレール１４が互いに平行するように形成される。
【００２５】
図３及び図５に示すように、前記昇降機構２０は、底部１０に取り付けられ、また、底部１０に取り付けられ、モータ及び減速構造を含む駆動機構２２と、回転可能に底部１０に取り付けられると共に、両側のレール１４と平行するように収容凹部１２に貫設され、且つ、駆動機構２２と連動して回転するように駆動機構２２に取り付けられる螺軸２４と、移動可能に底部１０の収容凹部１２に取り付けられ、螺軸２４と螺合するネジ穴２６２が形成され、両側がレール１４に設置される移動台２６と、昇降ユニット２８とを有し、この構成によれば、駆動機構２２の駆動により螺軸２４が回転すると、移動台２６が両側のレール１４に沿って底部１０に対して移動する。
【００２６】
前記移動台２６に複数の耳部２６４が延設される。前記昇降ユニット２８は、複数対の枢設ロッドを備え、該各対の枢設ロッドは、第一枢設ロッド２８２及び第二枢設ロッド２８４を含み、該第二枢設ロッド２８４は、回転可能に第一枢設ロッド２８２に枢設され、該第一枢設ロッド２８２の底端が底部１０に枢設され、該第二枢設ロッド２８４の底端が移動台２６の耳部２６４に枢設される。尚、本実施例では、昇降ユニット２８が２対の枢設ロッドを有し、すなわち、４本の枢設ロッドを備えることが好ましく、さらに、その昇降機構２０における外観のデザイン性を向上させるために、その底部１０の収容凹部１２の上面に、収容凹部１２及び螺軸２４や移動台２６などの構造をカバーする蓋１６が取り付けられることが好ましい。
【００２７】
前記調節機構３０は、昇降機構２０に枢設されると共に、昇降機構２０の稼動により、底部１０に対して上下方向に移動することができる。また、図４、図６及び図７に示すように、該調節機構３０は、設置板３２と、スライド部材３４と、連結部材３８とを備え、そのうち、設置板３２は、昇降ユニット２８の上端に取り付けられ、該昇降ユニット２８の各対の枢設ロッドのうちに、その第一枢設ロッド２８２の上端が移動可能に設置板３２に連結され、該設置板３２の上面に摺動凹部３２２が凹設され、該摺動凹部３２２の底面に掛合溝３２４が形成され、該掛合溝３２４の底面に掛合部材３２６が設置され、該掛合部材３２６の一側に複数のフック凹部３２８が形成されると共に、他側が平坦な直線状を呈し、掛合部材３２６の両側と掛合溝３２４の両側内壁との間にそれぞれ摺動通路が形成され、該掛合部材３２６の両端は弧状を呈する。
【００２８】
前記スライド部材３４は、移動可能に摺動凹部３２２に取り付けられ、底面にスライド部材３４に対して枢転し且つ揺動可能な調節部材３６が取り付けられ、該調節部材３６の一端に掛合部材３２６の１つのフック凹部３２８と掛合するための掛合柱３６２が凸設され、該スライド部材３４の底部に２つの弾性部材３７が設置され、該２つの弾性部材３７はそれぞれ、調節部材３６の両側に連接され、その調節部材３６の掛合柱３６２を押込むことにより、フック凹部３２８に掛合するための付勢力を提供する。尚、前記弾性部材３７は、バネまたは弾性体であってもよく、更に、前記連結部材３８の底端は、スライド部材３４に枢設される。
【００２９】
前記デスク板４０は、連結部材３８の上端に枢設されると共に、一端縁部が設置板３２に枢設され、更に、該一端縁部にデスク板４０に対して枢転可能に位置決めることができる止め部４２が設置される。
【００３０】
図５及び図８に示すように、上記の構造によれば、駆動機構２２のモータを駆動すると、螺軸２４を回転させながら移動台２６を底部１０に対してレール１４に沿って移動させる。この時、昇降ユニット２８の枢設ロッドが枢転して設置板３２及びデスク板４０が所望の高さに持ち上がり、その後、使用者がデスク板４０を所望の角度となるように引き上げる。図９に示すように、そのデスク板４０を引き上げる時は、まずデスク板４０を設置板３２に対して枢転させ、次に、連結部材３８が枢転させながらスライド部材３４を摺動凹部３２２の掛合部材３２６に沿って移動させる上で、調節部材３６の掛合柱３６２を、両側の弾性部材３７からの付勢力により、掛合部材３２６のフック凹部３２８に接触させながら移動させ、デスク板４０を所望の傾斜角度に引き上げると、調節部材３６の掛合柱３６２が、両側の弾性部材３７からの付勢力により、対応するフック凹部３２８に掛合され、デスク板４０が位置決められる。続いて、制止部材４２を所望の角度に引き上げると、パソコンやタッチパネルなどのモバイル端末をデスク板４０上に置いて使用できる。尚、この構造によれば、前記制止部材４２により支持されるので、落下することはない。
【００３１】
一方、本考案に係る折り畳み式デスクを使用しない場合は、図４、図８、図１０に示すように、まずデスク板４０を設置板３２に対して最大角度まで枢転させる。この時、調節部材３６の掛合柱３６２が掛合部材３２６の一方の弧状端部を通過してから掛合部材３２６と掛合溝３２４との間を摺動通過して他方の端部まで移動し、その後、両側の弾性部材３７の付勢力によって、掛合柱３６２が掛合部材３２６の他方の弧状端部を通過してフック凹部３２８に掛合されるので、デスク板４０を引き下げて設置板３２にぴったりと重ねることができる。更に、図２及び図８に示すように、駆動機構２２を駆動させて螺軸２４を逆方向に回転させながら移動台２６を駆動機構２２と接近するように移動させると、昇降ユニット２８が枢転しながら下方に折り畳まれるので、設置板３２を底部１０に重ねるように畳むことができるので、本考案に係る折り畳み式デスクを折り畳んで最小の体積にして収納することができる。
【００３２】
本考案に係る折り畳み式デスクは、使用者の需要に応じて、昇降機構２０により、設置板３２及びデスク板４０の高さを自由に調節することができ、さらに、デスク板４０の調節機構３０に対する傾斜角度も自由に調節することができることから、使用者は、好みの体勢や高さでモバイル端末などを使用することができるので、優れた利便性や実用性を有する。
【００３３】
図１１乃至図１３に示すように、本考案に係る折り畳み式デスクの第二実施例は、殆ど第一実施例と同一であるが、以下の点において異なる。
その底部１０Ａの上面に複数の収容凹部１２Ａが凹設され、該収容凹部１２Ａの底面に昇降掛合溝１２２が凹設されること、並びに
その昇降機構２０Ａは、複数の昇降掛合部材２１と、複数の昇降スライド部材２３と、複数の昇降ユニット２８Ａとを備え、そのうち、それらの昇降掛合部材２１は、それぞれ平行に底部１０Ａの昇降掛合溝１２２に設置され、該各昇降掛合部材２１は一側に複数の昇降フック凹部２１２が形成されると共に、他側が平坦な直線状を呈するものであり、該昇降掛合部材２１の両側と昇降掛合溝１２２の両側内壁との間にはそれぞれ摺動通路が形成され、該各昇降掛合部材２１の両端は弧状を呈すること。
【００３４】
前記昇降スライド部材２３は、昇降掛合部材２１に対して移動可能に底部１０Ａの収容凹部１２Ａに取り付けられる。該昇降スライド部材２３の底面には、昇降スライド部材２３に対して枢転し且つ揺動可能な昇降調節部材２５が取り付けられ、該昇降調節部材２５の一端に昇降掛合部材２１の１つの昇降フック凹部２１２と掛合するための昇降掛合柱２５２が凸設され、該昇降スライド部材２３の底部に２つの昇降弾性部材２７が設置され、該２つの昇降弾性部材２７はそれぞれ、昇降調節部材２５の両側に連接される。
【００３５】
前記各収容凹部１２Ａの両側にそれぞれレール１４Ａが互いに平行に形成される。前記各昇降掛合部材２１は収容凹部１２Ａのレール１４Ａと平行である。前記各昇降スライド部材２３は、移動可能に収容凹部１２Ａのレール１４Ａに取り付けられる。前記底部１０Ａの収容凹部１２Ａの上面に、該収容凹部１２Ａをカバーする蓋１６Ａが取り付けられる。
【００３６】
前記昇降ユニット２８Ａは、複数対の枢設ロッドを備え、該各対の枢設ロッドは、第一枢設ロッド２８２Ａ及び第二枢設ロッド２８４Ａを含み、該第二枢設ロッド２８４Ａは、回転可能に第一枢設ロッド２８２Ａに枢設され、該第一枢設ロッド２８２Ａの底端が底部１０Ａに枢設され、該第二枢設ロッド２８４Ａの底端が昇降スライド部材２３に枢設される。さらに、前記各昇降スライド部材２３に複数の昇降耳部２３２が設けられることが好ましく、該昇降ユニット２８Ａの第二枢設ロッド２８４Ａの底端が昇降スライド部材２３の昇降耳部２３２に枢設される。
【００３７】
図１２、図１４及び図１５に示すように、本考案に係る折り畳み式デスクを展開する時、その設置板３２を持ち上げ、昇降ユニット２８Ａを枢転させながら昇降スライド部材２３をレール１４Ａに沿って底部１０Ａ及び昇降掛合部材２１に対して摺動させることにより、昇降調節部材２５の昇降掛合柱２５２を、両側の昇降弾性部材２７からの付勢力により、昇降掛合部材２１の昇降フック凹部２１２に接触させながら移動させ、設置板３２を所望の高さに持ち上げると、昇降調節部材２５の昇降掛合柱２５２が、両側の昇降弾性部材２７からの付勢力により、対応する昇降フック凹部２１２に掛合されるため、設置板３２及びデスク板４０の位置決めができる。続いて、デスク板４０を設置板３２に対して所望の角度に引き上げることで、使用者がパソコンやタッチパネルなどのモバイル端末をデスク板４０上に置いて使用することができる。
【００３８】
本考案に係る折り畳み式デスクの第二実施例において、その昇降機構２０Ａの構造は、殆ど調節機構３０と同一であると共に、該昇降機構２０Ａの操作方法が調節機構３０と同一であることから、詳細な説明を省略する。
【符号の説明】
【００３９】
１０  底部
１２  収容凹部
１４  レール
１６  蓋
２０  昇降機構
２２  駆動機構
２４  螺軸
２６  移動台
２６２  ネジ穴
２６４  耳部
２８  昇降ユニット
３０  調節機構
３２  設置板
３２２  摺動凹部
３２４  掛合溝
３２６  掛合部材
３２８  フック凹部
３４  スライド部材
３６  調節部材
３６２  掛合柱
３７  弾性部材
３８  連結部材
４０  デスク板
４２  制止部材
１０Ａ  底部
１２Ａ  収容凹部
１２２  昇降掛合溝
１４Ａ  レール
１６Ａ  蓋
２０Ａ  昇降機構
２１  昇降掛合部材
２１２  昇降フック凹部
２３  昇降スライド部材
２３２  昇降耳部
２５  昇降調節部材
２５２  昇降掛合柱
２７  昇降弾性部材
２８Ａ  昇降ユニット
２８２Ａ  第一枢設ロッド
２８４Ａ  第二枢設ロッド 
【図１】
0003204303.tif 000003
【図２】
0003204303.tif 000004
【図３】
0003204303.tif 000005
【図４】
0003204303.tif 000006
【図５】
0003204303.tif 000007
【図６】
0003204303.tif 000008
【図７】
0003204303.tif 000009
【図８】
0003204303.tif 000010
【図９】
0003204303.tif 000011
【図１０】
0003204303.tif 000012
【図１１】
0003204303.tif 000013
【図１２】
0003204303.tif 000014
【図１３】
0003204303.tif 000015
【図１４】
0003204303.tif 000016
【図１５】
0003204303.tif 000017